(57)【要約】【課題】  薄型化および省電力化が可能な液晶表示装置、およびこれを備えた携帯電話機を提供すること。【解決手段】  第１の表示面１４Ａを形成する第１の液晶表示パネル２０Ａと、第１の表示面１４Ａとは反対側を向く第２の表示面１４Ｂを形成する第２の液晶表示パネル２０Ｂと、第１および第２の液晶表示パネル２０Ａ，２０Ｂに挟まれた光出射部３１、およびこの光出射部３１に接続されるとともに、外光Ｌを取り込むための光入射面３２ａを有する光入射部３２を備える導光板３０と、を具備し、第１の液晶表示パネル２０Ａは、第２の表示パネル２０Ｂおよび導光板３０の光出射部３１を透過した外光Ｌにより照明され、第２の液晶表示パネル２０Ｂは、導光板３０の光入射面３２ａから入射し、光出射部３１にて第２の液晶表示パネル２０Ｂに向けられた外光Ｌによって照明される。【選択図】  図４
2006010737.tif 000002
【特許請求の範囲】
【請求項１】
第１の表示面を形成する第１の液晶表示パネルと、
上記第１の表示面とは反対側を向く第２の表示面を形成する第２の液晶表示パネルと、
上記第１および第２の液晶表示パネルに挟まれた光出射部、およびこの光出射部に接続されるとともに、外光を取り込むための光入射面を有する光入射部を備える導光部材と、を具備し、
上記第１の液晶表示パネルは、上記第２の表示パネルおよび上記導光部材の光出射部を透過した外光により照明され、
上記第２の液晶表示パネルは、上記導光部材の光入射面から入射し、上記光出射部にて上記第２の液晶表示パネルに向けられた外光によって照明されることを特徴とする、液晶表示装置。
【請求項２】
上記光出射部は、板状とされている、請求項１に記載の液晶表示装置。
【請求項３】
上記導光部材には、上記光入射面から向かってきた外光を上記光出射部へと反射させる反射面が形成されている、請求項１または２に記載の液晶表示装置。
【請求項４】
上記光入射面は、上記第２の表示面と同じ方向を向いて露出している、請求項１ないし３のいずれかに記載の液晶表示装置。
【請求項５】
上記光入射面は、帯状であり、かつ上記第２の表示面の一端縁に沿って配置されている、請求項４に記載の液晶表示装置。
【請求項６】
上記光入射面としては、複数のものが備えられており、これら複数の光入射面が、上記第２の表示面を挟むように配置されている、請求項４または５に記載の液晶表示装置。
【請求項７】
上記第１および第２の液晶表示パネルのそれぞれには、互いの偏光方向が直交する一対の偏光板が設けられており、
上記第１の液晶表示パネルの上記一対の偏光板のうち上記第２の液晶表示パネル側に設けられた偏光板と、上記第２の液晶表示パネルの上記一対の偏光板のうち上記第１の液晶表示パネル側に設けられた偏光板とは、互いの偏光方向が同じである、請求項１ないし６のいずれかに記載の液晶表示装置。
【請求項８】
ヒンジ部を介して本体部に回動可能に連結された蓋部を備えた携帯電話機であって、
上記蓋部には、請求項１ないし７に記載の液晶表示装置が搭載されており、上記第１および第２の表示面が、それぞれ上記蓋部の内側および外側の表示面とされていることを特徴とする、携帯電話機。
【発明の詳細な説明】
【技術分野】
【０００１】
本発明は、液晶表示装置およびこれを備えた携帯電話機に関する。
【背景技術】
【０００２】
携帯電話機については、高機能化が年々進められており、その一形態として本体部に回動可能に連結された蓋部を備え、この蓋部の内側面と外側面とに２つの表示面を備えたものが普及している。このようないわゆる折り畳み式の携帯電話機に用いられる液晶表示装置としては、図６に示されたものがある。この液晶表示装置Ｘは、第１および第２の液晶表示パネル９１Ａ，９１Ｂを備えており、いわゆる両面表示が可能とされている。第１および第２の液晶表示パネル９１Ａ，９１Ｂの照明手段としては、２つの発光素子９２Ａ，９２Ｂとこれらの発光素子９２Ａ，９２Ｂからの光を第１および第２の液晶表示パネル９１Ａ，９１Ｂへと出射する第１および第２の導光板９３Ａ，９３Ｂとを備えている。
【０００３】
しかしながら、携帯電話機の薄型化およびデザイン性の向上のために、液晶表示装置Ｘとしても、薄型化の要請が強い。また、携帯電話機の連続駆動時間を長時間化するためには、さらなる省電力化が必要とされる。液晶表示装置Ｘは、２枚の導光板９３Ａ，９３Ｂを備えるために、その薄型化が困難である。また、２つの発光素子９２Ａ，９２Ｂを備えるために、その分だけ電力を多く消費することとなる。このように、液晶表示装置Ｘは、その薄型化および省電力化について、さらなる改善の余地があった。
【０００４】
【特許文献１】特開２００２−２４４１３３号公報（図１）
【発明の開示】
【発明が解決しようとする課題】
【０００５】
本発明は、上記した事情のもとで考え出されたものであって、薄型化および省電力化が可能な液晶表示装置、およびこれを備えた携帯電話機を提供することをその課題とする。
【課題を解決するための手段】
【０００６】
上記課題を解決するため、本発明では、次の技術的手段を講じている。
【０００７】
本発明の第１の側面によって提供される液晶表示装置は、第１の表示面を形成する第１の液晶表示パネルと、上記第１の表示面とは反対側を向く第２の表示面を形成する第２の液晶表示パネルと、上記第１および第２の液晶表示パネルに挟まれた光出射部、およびこの光出射部に接続されるとともに、外光を取り込むための光入射面を有する光入射部を備える導光部材と、を具備し、上記第１の液晶表示パネルは、上記第２の表示パネルおよび上記導光部材の光出射部を透過した外光により照明され、上記第２の液晶表示パネルは、上記導光部材の光入射面から入射し、上記光出射部にて上記第２の液晶表示パネルに向けられた外光によって照明されることを特徴としている。
【０００８】
このような構成によれば、上記第１および第２の液晶表示パネルを外光により照明することが可能であり、これらの液晶表示パネルを照明するためのたとえば発光素子を備える必要が無い。このため、従来技術による液晶表示装置において発光素子を発光させるために消費されていた電力分だけ省電力化を図ることができる。また、導光部材としては、上記第２の液晶表示パネルを照明するためのものを１つだけ備える構成とすることが可能であり、この液晶表示装置の構造を簡素化することができる。
【０００９】
本発明の好ましい実施の形態においては、上記光出射部は、板状とされている。このような構成によれば、上記導光部材の厚さを薄くすることが可能であり、この液晶表示装置の薄型化を図ることができる。
【００１０】
本発明の好ましい実施の形態においては、上記導光部材には、上記光入射面から向かってきた外光を上記光出射部へと反射させる反射面が形成されている。このような構成によれば、上記光入射面に入射した外光を効率よく上記光出射部へと導くことが可能であり、上記外光を有効に活用して上記第２の液晶表示パネルの照明を行なうことができる。また、上記光入射面を上記光出射部の形状などに関係なく上記外光を取り込むのに都合の良い方向に向け、この光入射面から取り込まれた外光を上記光出射部へと適切に向かわせることができる。
【００１１】
本発明の好ましい実施の形態においては、上記光入射面は、上記第２の表示面と同じ方向を向いて露出している。このような構成によれば、上記第２の表示面および上記光入射面を面一状とすることが可能であり、この液晶表示装置から上記光入射面が不当に突出することを回避することができる。
【００１２】
本発明の好ましい実施の形態においては、上記光入射面は、帯状であり、かつ上記第２の表示面の一端縁に沿って配置されている。このような構成によれば、上記第２の表示面および上記光入射面の占有面積を小さくすることが可能であり、この液晶表示装置の小型化に適している。
【００１３】
本発明の好ましい実施の形態においては、上記光入射面としては、複数のものが備えられており、これら複数の光入射面が、上記第２の表示面を挟むように配置されている。このような構成によれば、上記導光部材に外光をより広い面積で取り込むことが可能であり、上記第２の液晶表示パネルの視認性を高めるのに有利である。
【００１４】
本発明の好ましい実施の形態においては、上記第１および第２の液晶表示パネルのそれぞれには、互いの偏光方向が直交する一対の偏光板が設けられており、上記第１の液晶表示パネルの上記一対の偏光板のうち上記第２の液晶表示パネル側に設けられた偏光板と、上記第２の液晶表示パネルの上記一対の偏光板のうち上記第１の液晶表示パネル側に設けられた偏光板とは、互いの偏光方向が同じである。このような構成によれば、上記第２の液晶表示パネルを透過してきた光を、上記第１の液晶表示パネルへと入射させ透過させることができる。したがって、上記第１の液晶表示パネルが視認されるときに、上記第２の液晶表示パネルに向かってきた光を上記第１の液晶表示パネルの照明光として利用することが可能であり、上記第１の液晶表示パネルの視認性を向上させるのに適している。
【００１５】
本発明の第２の側面によって提供される携帯電話機は、ヒンジ部を介して本体部に回動可能に連結された蓋部を備えた携帯電話機であって、上記蓋部には、本発明の第１の側面により提供される液晶表示装置が搭載されており、上記第１および第２の表示面が、それぞれ上記蓋部の内側および外側の表示面とされている。
【００１６】
このような構成によれば、上記蓋部の薄型化と省電力化とを図ることが可能であり、デザイン性の向上や連続駆動時間の長時間化に有利である。上記携帯電話機が開状態で使用される際に、上記第１の表示面が視認される場合には、上記第２の表示面に入射してきた光を透過させて、上記第１の液晶表示パネルが照明され、この上記第１の表示面を高い視認性で視認することが可能であり、この携帯電話機の操作を適切に行なうことができる。一方、上記携帯電話機が閉状態で使用される際に、上記第２の表示面が視認される場合には、上記導光部材の上記光入射面から外光が取り込まれ、この光により上記第２の液晶表示パネルが照明される。したがって、薄型化および省電力化を図りつつ、上記第１および第２の表示面を適切な視認性を有するものとすることができる。
【００１７】
本発明のその他の特徴および利点は、添付図面を参照して以下に行う詳細な説明によって、より明らかとなろう。
【発明を実施するための最良の形態】
【００１８】
以下、本発明の好ましい実施の形態につき、図面を参照して具体的に説明する。
【００１９】
図１および図２は、本発明に係る携帯電話機の一例を示している。図１に良く表れているように、この携帯電話機Ａ１は、本体部１１と蓋部１２とを備えており、いわゆる折り畳み式の携帯電話として構成されている。
【００２０】
本体部１１は、複数の操作ボタン１１ａを備えており、その背面には充電池（図示略）などが設けられている。
【００２１】
蓋部１２は、ヒンジ部１３を介して本体部１１に回動可能に連結されている。この蓋部１２が開閉させられることにより、この携帯電話機Ａ１は開状態および閉状態で使用される。蓋部１２の内側には、第１の表示面１４Ａが設けられている。第１の表示面１４Ａは、通話やメールの送受信の操作をするために必要な情報が表示される。
【００２２】
一方、図２に良く表れているように、蓋部１２の外側には、第２の表示面１４Ｂが設けられている。この第２の表示面１４Ｂは、主に携帯電話機Ａ１が閉状態のときに視認されるものであり、着信やメール受信などの情報、もしくは受信したメールの内容などが表示される。
【００２３】
図３に示すように、蓋部１２には、本発明にかかる液晶表示装置の一例である液晶表示装置Ｂ１が搭載されている。本図は、携帯電話機Ａ１が開状態とされたときの要部断面図であり、第１の表示面１４Ａが下向きとなる姿勢で示されている。液晶表示装置Ｂ１は、第１および第２の液晶表示パネル２０Ａ，２０Ｂと導光板３０とを備えており、第１および第２の表示面１４Ａ，１４Ｂを形成するものである。
【００２４】
第１の液晶表示パネル２０Ａは、液晶表示装置Ｂ１において蓋部１２の内側寄りに配置されている。蓋部１２の化粧板１２Ａには、第１の表示面１４Ａを露出させるための窓部１２Ａａが形成されている。この第１の液晶表示パネル２０Ａは、一対の透明基板２１ａ，２１ｂ、液晶層２２、および一対の偏光板２５Ａａ，２５Ａｂを備えている。
【００２５】
一対の透明基板２１ａ，２１ｂは、ガラス製であり、それぞれの対向面には複数の電極２３が形成されている。電極２３は、透明電極であり、ＩＣチップ（図示略）などに導通している。液晶層２２は、一対の透明基板２１ａ，２１ｂ間において周縁を囲うように設けられたシール部２４によって密閉された領域に液晶材料が封入されて構成されている。
【００２６】
一対の偏光板２５Ａａ，２５Ａｂは、一対の透明基板２１ａ，２１ｂを挟むように設けられており、互いの偏光方向が直交するように配置されている。
【００２７】
プリズムシート２６Ａは、第１の液晶表示パネル２０Ａにおいて最も導光板３０寄りに設けられている。このプリズムシート２６Ａは、導光板３０を透過してきた光を、微細な凹凸状とされた表面（図３および図４には示さず）において屈折させて指向性を高め、第１の液晶表示パネル２０Ａの照明光度を高めるためのものである。プリズムシート２６Ａとしては、たとえば住友３Ｍ製ＢＥＦシート（登録商標）が用いられる。
【００２８】
第２の液晶表示パネル２０Ｂは、液晶表示装置Ｂ１において蓋部１２の外側寄りに配置されている。この第２の液晶表示パネル２０Ｂは、第１の液晶表示パネル２０Ａと同様に、一対の透明基板２１ａ，２１ｂ、液晶層２２、および一対の偏光板２５Ｂａ，２５Ｂｂを備えている。
【００２９】
一対の偏光板２５Ｂａ，２５Ｂｂは、互いの偏光方向が直交するように配置されている。また、導光板３０側に配置された偏光板２５Ｂａは、その偏光方向が第１の液晶表示パネル２０Ａの導光板３０側に配置された偏光板２５Ａａと同じとなるように配置されている。
【００３０】
プリズムシート２６Ｂは、第２の液晶表示パネル２０Ｂの照明光度を高めるためのものであり、プリズムシート２６Ａと同様のものが用いられる。
【００３１】
導光板３０は、板状の光出射部３１、２つの光入射部３２、および２つの反射面３３を備えており、第２の液晶表示パネル２０Ｂを照明するためのものである。導光板３０は、たとえばアクリル樹脂などの透明な材料により形成されている。
【００３２】
光出射部３１は、矩形板状とされており、第１および第２の液晶表示パネル２０Ａ，２０Ｂに挟まれている。光出射部３１の内側面３１ａには、断面山形状とされた複数の溝部３１ｂが形成されている。また、内側面３１ａのうち複数の溝部３１ｂ間の領域は、第１および第２の表示面１４Ａ，１４Ｂが広がる方向と略平行な平滑面とされている。
【００３３】
２つの光入射部３２は、光出射部３１の両端に設けられており、光出射部３１と直交する方向に起立するように形成されている。２つの光入射部３２の外側面は、第２の表示面１４Ｂに沿って延びるように形成された２つの帯状の光入射面３２ａとされている。これらの光入射面３２ａは、蓋部１２の外側に露出しており、図２に良く表れているように第２の表示面１４Ｂを挟むように配置されている。なお、蓋部１２の化粧板１２Ｂには、第２の表示面１４Ｂおよび２つの光入射面３２ａを露出させるための窓部１２Ｂａ，１２Ｂｂが形成されている。
【００３４】
２つの反射面３３は、図３に良く表れているように光入射面３２ａに入射してきた光を光出射部３１に向けて反射可能な傾斜面とされている。各反射面３３には、反射光の指向性を高めるための反射膜３３ａが形成されている。反射膜３３ａとしては、たとえばヘアライン加工が施されたアルミ膜が用いられる。
【００３５】
次に、携帯電話機Ａ１の作用について説明する。
【００３６】
まず、図１および図３に示すように、第１の表示面１４Ａが視認される場合には、蓋部１２が開の状態で使用される。図３に良く表れているように、第１の液晶表示パネル２０Ａにおいては、第１の表示面１４Ａに表示される画像に応じて任意の電極２３に所定の電圧が印加され、液晶層２２の各部の偏光方向が設定される。一方、第２の液晶表示パネル２０Ｂにおいては、液晶層２２が白表示の状態、すなわち液晶層２２を白色光が透過可能な状態とされる。
【００３７】
使用者が蓋部１２を外光Ｌが向かってくる方向にかざすと、外光Ｌは第２の表示面１４Ｂから入射し、白表示とされた第２の液晶表示パネル２０Ｂを透過する。第２の液晶表示パネル２０Ｂを透過してきた光は、導光板３０を透過する。上述したように第２の液晶表示パネル２０Ｂの偏光板２５Ｂａと第１の液晶表示パネル２０Ａの偏光板２５Ａａとは、互いの偏光方向が同じとされているため、第２の液晶表示パネル２０Ｂを透過してきた光は、偏光板２５Ａａにより遮蔽されることなく第１の液晶表示パネル２０Ａへと入射する。そして、第１の液晶表示パネル２０Ａの液晶層２２を透過した光は、第１の表示面１４Ａから出射する。これにより、携帯電話機Ａ１の使用者は、第１の表示面１４Ａに表示された画像または文字などを視認し、携帯電話機Ａ１の操作や受信メールの閲覧などを行なうことができる。
【００３８】
次に、第２の表示面１４Ｂが視認される場合には、図２および図４に示すように、蓋部１２が閉の状態で使用される。図４に良く表れているように、第２の液晶表示パネル２０Ｂにおいては、第２の表示面１４Ｂに表示される画像に応じて任意の電極２３に所定の電圧が印加され、液晶層２２の各部の偏光方向が設定される。一方、第１の液晶表示パネル２０Ａにおいては、液晶層２２が黒表示の状態、すなわち液晶層２２を白色光が透過不可能な状態とされる。蓋部１２へと向かってきた外光Ｌの一部は、２つの光入射面３２ａへと入射する。各光入射面３２ａへと入射した光は、反射面３３において反射され、光出射部３１へと向かう。光出射部３１の内側面３１ａに向かってきた光は、溝部３１ｂにより上方へと反射され、光出射部３１から出射する。光出射部３１から出射した光は、第２の液晶表示パネル２０Ｂへと入射し、液晶層２２を透過して、第２の表示面１４Ｂから出射する。これにより、携帯電話機Ａ１の使用者は、第２の表示面１４Ｂに表示された画像または文字などを視認し、着信やメール受信などの情報を得ることができる。
【００３９】
このように、本実施形態によれば、蓋部１２の内外両面に第１および第２の表示面１４Ａ，１４Ｂを備えつつ、これらを照明するためのたとえばＬＥＤを備えることなく画像を適切に表示させることができる。したがって、従来技術による携帯電話機と比べてこの携帯電話機Ａ１の消費電力を小さくすることが可能であり、連続駆動時間の長時間化を図ることができる。
【００４０】
また、蓋部１２の両面に第１および第２の表示面１４Ａ，１４Ｂを備えつつ、これらの照明のための導光板３０を１つだけ備える構成とされている。このため、本実施形態と異なり、従来例のように第１および第２の表示面をそれぞれ照明するために２つの導光板を備える構成と比較して、液晶表示装置Ｂ１は薄型化に適しており、蓋部１２さらには携帯電話機Ａ１の薄型化に有利である。
【００４１】
第１の表示面１４Ａが視認される際には、第２の液晶表示パネル２０Ｂが白表示の状態とされるために、第２の表示面１４Ｂに入射した外光Ｌが第２の液晶表示パネル２０Ｂを透過する際に減衰されることを抑制することができる。したがって、第１の表示面１４Ａの視認性を高めるのに適している。一方、第２の表示面１４Ｂが視認される際には、第１の液晶表示パネル２０Ａが黒表示の状態とされるために、導光板３０内に導かれた光が、第１の液晶表示パネル２０Ａ側に出射しても、この光が第１の液晶表示パネル２０Ａを透過して本体部１１側へと漏れることを防止することができる。したがって、第２の表示面１４Ｂの視認性を高めるのに適している。
【００４２】
図５は、本発明に係る携帯電話機および液晶表示装置の他の例を示している。図示された携帯電話機Ａ２は、上述した携帯電話機Ａ１と同様に本体部１１と蓋部１２とを備え、蓋部１２の両面に第１および第２の表示面１４Ａ，１４Ｂを有している。蓋部１２には、第１および第２の表示面１４Ａ，１４Ｂを形成する液晶表示装置Ｂ２が搭載されている。なお、本図においては、携帯電話機Ａ２は、閉状態で示されている。
【００４３】
画像表示装置Ｂ２は、１つの光入射面３２ａを有する導光板３０と、補助光源としてのＬＥＤ４１とを備えている点が、上述した画像表示装置Ｂ１と異なっている。
【００４４】
導光板３０の光出射部３１は、その内側面３１ａが第１および第２の表示面１４Ａ，１４Ｂが広がる方向に対して傾いた傾斜面とされている。内側面３１ａには、複数の溝部３１ｂが形成されている。導光板３０の右側端部には、傾斜面３４が形成されている。
【００４５】
ＬＥＤ４１は、第２の液晶表示パネル２０Ｂを補助的に照明するためのものであり、傾斜面３４の右側においてこれに対向するように設けられている。傾斜面３４は、その上方に位置する光入射面３２ａに入射して向かってくる外光Ｌを光出射部３１に向けて反射させるとともに、ＬＥＤ４１からの光Ｌｓを屈折させつつ光出射部３１にむけて透過させることが可能な傾斜角度とされている。ＬＥＤ４１は、たとえば、この携帯電話機Ａ２が置かれた環境の明るさが所定以下となったことがセンサ（図示略）により検知された場合や、使用者により所定のボタン（図示略）が押下された場合などに点灯される。
【００４６】
光出射部３１の左側端部には、断面コの字状の反射部材３５が設けられている。この反射部材３５は、光出射部３１内を反射しつつ進行してきた光を、再度光出射部３１へと反射させるためのものであり、これにより溝部３１ｂにおいて反射されて上方へと向かう光の量を大きくすることができる。
【００４７】
この携帯電話機Ａ２の使用においては、第２の表示面１４Ｂが視認される際に、携帯電話機Ａ１と同様に光入射面３２ａから外光Ｌを取り込み第２の液晶表示パネル２０Ｂの照明を行なうことができる。携帯電話機Ａ１について説明したとおり、携帯電話機の省電力化には、ＬＥＤなどの光源を設けない構成が好ましいが、第２の表示面１４Ｂの視認性をさらに高めたい場合には、本実施形態のようにＬＥＤ４１を設けることにより、第２の液晶表示パネル２０Ｂを照明する光の量を大きくし、第２の表示面１４Ｂの輝度を高めることができる。このような実施形態においても、ＬＥＤ４１は、外光Ｌを利用した第２の液晶表示パネル２０Ｂの照明に加えて、これを補助するために用いられるものであるために、たとえば従来技術による携帯電話機のように、ＬＥＤのみにより液晶表示パネルを照明する構成と比べて、必要とされる光量が小さく、省電力タイプのＬＥＤを用いることが可能である。
【００４８】
また、光入射面３２ａを一つだけ備えることにより、たとえば携帯電話機Ａ１と比べて蓋部１２における光入射面３２ａの割合を小さくすることが可能であり、その分だけ第２の表示面１４Ｂの割合を大きくすることや、蓋部１２の小型化に有利である。
【００４９】
本発明に係る画像表示装置および携帯電話機は、上述した実施形態に限定されるものではない。本発明に係る画像表示装置および携帯電話機の各部の具体的な構成は、種々に設計変更自在である。
【００５０】
導光板の構成としては、上記実施形態のものに限定されず、光入射面に入射した光を光出射部から第２の液晶表示パネルへと適切に出射させつつ、第１の液晶表示パネルを照明するための光を適切に透過させる構成であれば良い。反射面および光出射部内側面の形状および表面の微細構造なども上記実施形態に限定されるものではない。また、光入射面としては、帯状に限定されず、たとえば光入射部を光出射部から分岐する構造とすることにより、複数の光入射面が列状に配置された構成としても良い。さらに、本発明は板状の導光部材を備える構成に限定されず、たとえば一定方向に延びた棒状の導光部材を備える構成としても良い。
【００５１】
また上記実施形態と異なり、たとえば図３に示された構成に加えて、導光板３０と第１の液晶表示パネル２０Ａとの間に、第２の液晶表示パネル２０Ｂ側が反射面とされたハーフミラーを設けても良い。このような構成によれば、第２の表示面１４Ｂが視認される際に、光出射部３１から第１の液晶表示パネル２０Ａ側に出射した光を、上記ハーフミラーにより反射させて、再度光出射部３１へと入射させることが可能であり、第２の表示面１４Ｂの視認性を高めるのに有利である。また、第１の表示面１４Ａが視認される際には、第２の表示面１４Ｂに入射して第２の液晶表示パネル２０Ｂを透過してきた光を、上記ハーフミラーを透過させて第１の液晶表示パネル２０Ａの照明に利用することができる。
【００５２】
本発明に係る画像表示装置の用途としては、折り畳み式の携帯電話機に限定されず、たとえば蓋部の両面に表示面を備えたＰＤＡ(Personal Data Assistance)など、両面表示機能を備えた種々の電子機器に用いることもできる。
【図面の簡単な説明】
【００５３】
【図１】本発明に係る携帯電話機の一例を示す全体斜視図である。
【図２】本発明に係る携帯電話機の一例を示す全体斜視図である。
【図３】図１のＩＩＩ−ＩＩＩ線に沿う要部断面図である。
【図４】図２のＩＶ−ＩＶ線に沿う要部断面図である。
【図５】本発明に係る携帯電話機および液晶表示装置の他の例を示す要部断面図である。
【図６】従来の液晶表示装置の一例を示す断面図である。
【符号の説明】
【００５４】
Ａ１，Ａ２    携帯電話機
Ｂ１，Ｂ２    画像表示装置
Ｌ            外光
１１          本体部
１２          蓋部
１３          ヒンジ部
１４Ａ        第１の表示面
１４Ｂ        第２の表示面
２０Ａ        第１の液晶表示パネル
２０Ｂ        第２の液晶表示パネル
２１ａ，２１ｂ  透明基板
２２          液晶層
２３          透明電極
２４          シール部
２５Ａａ，２５Ａｂ，２５Ｂａ，２５Ｂｂ  偏光板
２６Ａ，２６Ｂ  プリズムシート
３０          導光板（導光部材）
３１          光出射部
３２          光入射部
３２ａ        光入射面
３３          反射面
３３ａ        反射膜
４１          ＬＥＤ
【図１】
2006010737.tif 000003
【図２】
2006010737.tif 000004
【図３】
2006010737.tif 000005
【図４】
2006010737.tif 000006
【図５】
2006010737.tif 000007
【図６】
2006010737.tif 000008